(57)【要約】      （修正有）【課題】この考案は、軽量で強固なヒンジ部を有し、且つ、誰でも簡単に持ち運びが出来、取り扱いが容易に出来る折り畳み式案内表示板を開発・提供する事にある。【解決手段】道路工事中や車が故障した時等に道路上に立て掛けて後続の車を安全な方向へ導く為の案内表示板であって、該案内表示板は縦寸法・横寸法が所定寸法を有し、上部に所定の角度まで開閉可能な一対の離脱防止型ヒンジ部３を設け、且つ、該一対の離脱防止型ヒンジ部の両端にはそれぞれ表示板本体１を係止して表裏一対とし、且つ、該一対の離脱防止型ヒンジ部の上部中央には、上下に移動し、取り出し収納可能な取手部５を設け、且つ、該表示板本体の下部には任意の角度に広げて固着可能なストッパーラバー６、７をそれぞれ係止して設けたものである。【選択図】図１
0003106423.tif 000002
【実用新案登録請求の範囲】
【請求項１】
道路工事中や車が故障した時等に、道路上に立て掛けて、後続の車を安全な方向へ導く為の案内表示板であって、該案内表示板は縦寸法（Ｈ）・横寸法（Ｌ）が所定寸法を有し、上部に所定の角度（α）まで開閉可能な一対の離脱防止型ヒンジ部（３）（４）を設け、且つ、該一対の離脱防止型ヒンジ部（３）（４）の両端には、それぞれ表示板本体（１）（２）を係止して表裏一対とし、且つ、該一対の離脱防止型ヒンジ部（３）（４）の上部中央には、上下に移動し、取り出し収納可能な取手部（５）を設け、且つ、該表示板本体（１）（２）の下部には、任意の角度（α’）に広げて固着可能なストッパーラバー（６）（７）をそれぞれ係止して設けた事を特徴とした折り畳み式案内表示板。
【考案の詳細な説明】
【技術分野】
【０００１】
この考案は、道路工事中や車が故障した時等に、道路上に立て掛けて、後続の車を安全な方向へ導く為の案内表示板に関するものである。
【背景技術】
【０００２】
従来の案内表示板は、ヒンジ部が抜け易く、又、取手の止め金部に平板を使用していた為、ヒンジと表示板の結合部の凸部に引っ掛かる等、構造上及び取り扱い上の問題があった。
【０００３】
又、上記以外の折り畳み式表示板が出願され、公開に成っているので参考の為に紹介する。（特許文献１〜２参照。）
【特許文献１】特開平１１−２１９１４０
【特許文献２】特開２００１−２４９６３２
【考案の開示】
【考案が解決しようとする課題】
【０００４】
そこで、この考案は、軽量で強固なヒンジ部を有し、且つ、誰でも簡単に持ち運びが出来、取り扱いが容易に出来る折り畳み式案内表示板を開発・提供する事にある。
【課題を解決するための手段】
【０００５】
上記課題を達成する為に、この考案は、道路工事中や車が故障した時等に道路上に立て掛けて、後続の車を安全な方向へ導く為の案内表示板であって、該案内表示板は、縦寸法・横寸法が所定寸法を有し、上部に所定の角度まで開閉可能な一対の離脱防止型ヒンジ部を設け、且つ、該一対の離脱防止型ヒンジ部の両端には、それぞれ表示板本体を係止して表裏一対とし、且つ、該一対の離脱防止型ヒンジ部の上部中央には、上下に移動し、取り出し収納可能な取手部を設け、且つ、該表示板本体の下部には、任意の角度に広げて固着可能なストッパーラバーをそれぞれ係止して設けたものである。
【考案の効果】
【０００６】
この考案の効果として、案内表示板のヒンジ嵌合部を丸形状から扇形状の離脱防止型にし、且つ、取手部の係止部を平板止めからブラインドリベット止め方式にする事でヒンジ部が抜け難く、取手部の出し入れが容易に出来る様に成った。
【０００７】
又、上記理由からヒンジ部の形状がシンプルに成り、且つ、取手部の係止部をブラインド・リベット止め方式に簡素化する事で品質・コスト・納期等、極めて有益なる効果を奏するものである。
【考案を実施するための最良の形態】
【０００８】
そこで、この考案の最良の形態は、案内表示板の使用目的や用途に適合した寸法形状のものを標準化し、量産化する事が望ましい。
【実施例１】
【０００９】
そこで、この考案の一実施例を図１〜図３に基づいて詳述すると、案内表示板は縦寸法（Ｈ）・横寸法（Ｌ）が所定寸法を有し、上部に所定の角度（α）まで開閉可能な一対の離脱防止型ヒンジ部（３）（４）を設け、且つ、該一対の離脱防止型ヒンジ部（３）（４）の両端には、それぞれ表示板本体（１）（２）を係止して表裏一対とし、且つ、該一対の離脱防止型ヒンジ部（３）（４）の上部中央には、上下に移動し、取り出し収納可能な取手部（５）を設け、且つ、該表示板本体（１）（２）の下部には、任意の角度（α’）に広げて固着可能なストッパーラバー（６）（７）をそれぞれ係止して設けた事を特徴とした折り畳み式案内表示板から構成される。
【００１０】
又、この考案の部品構成及び各部の詳細について説明すると、まず部品構成は、主として表裏二枚の表示板本体（１）（２）とヒンジ部（３）（４）と取手部（５）と二箇所のストッパーラバー部（６）（７）で構成されている。
【００１１】
そして、表裏二枚の表示板本体（１）（２）は、それぞれ複数のブラインド・リベット（ＢＲ）等の係止部材でヒンジ部（３）（４）に固着され、使用時は図４に示す様に、ヒンジ部を中心にして、約４５度の開閉が可能で、表示板本体（１）（２）下部には、ストッパーラバー（６）（７）を固着している為、安定して設置する事か出来る。又、表裏それぞれのヒンジ部内面には凸部（３ａ）（４ａ）を設け、表示板の端部を凸部（３ａ）（４ａ）に当ててブラインド・リベット（ＢＲ）等の係止部材に直接負荷荷重が掛からない様に設けられている。
【００１２】
又、図３に示す様に、ヒンジ部（３）（４）の支点部がＣ形状と扇形状の組み合わせにより結合されている為、簡単に外れる心配がなく、しかも、安定した適度な角度（α）で表示板を固着する事が出来る。
【００１３】
又、ヒンジ部（３）（４）の上中央部には、上下移動可能なコの字形状の取手部（５）をブラインド・リベット（ＢＲ）等の係止部材で下部二箇所を係止して設け、持ち運び時には上方向に持ち上げ、使用時には下方向に収納可能に成っている。
【００１４】
又、この考案の表示板本体（１）（２）の横寸法（Ｌ）は、小型が４５０ｍｍ、中型が７００ｍｍ、大型が９００ｍｍの三種類有って、使用目的・用途に応じて適宜使い分け、表示板の表面部に記載する内容も様々である。尚、図１に示す表示内容（Ｄ）は、矢印で一例を示すものである。
【産業上の利用可能性】
【００１５】
この考案の折り畳み式案内表示板は、誰でも簡単に持ち運びが出来、且つ、取り扱いが容易に出来、多用途に使用可能な為、多くの市場に寄与する点で、産業上の利用可能性を有する。
【図面の簡単な説明】
【００１６】
【図１】この考案の一実施例を示し、（Ａ）は平面図で、（Ｂ）は正面図である。
【図２】この考案の一実施例を示し、右側面図である。
【図３】この考案の一実施例を示し、図１（Ｂ）のａ−ａ矢視拡大断面図である。
【図４】この考案の使用例を示し、斜視図である。
【符号の説明】
【００１７】
１  表示板本体（表）
２  表示板本体（裏）
３  ヒンジ部
３ａ  凸部
４  ヒンジ部
４ａ  凸部
５  取手部
６  ストッパーラバー
７  ストッパーラバー
ＢＲ  ブラインド・リベット等の係止部材
Ｄ  表示内容
Ｌ  横寸法
Ｈ  縦寸法
α  所定角度
α’  任意角度
【図１】
0003106423.tif 000003
【図２】
0003106423.tif 000004
【図３】
0003106423.tif 000005
【図４】
0003106423.tif 000006